(57)【要約】      （修正有）【課題】複数の表示パネルを備える両面表示型の電気光学装置の高輝度化を図る。【解決手段】  電気光学装置は、例えば液晶表示装置１００であり、照明装置１０と、第１の表示パネル２０と、第２の表示パネル３０より構成される。第１の表示パネル２０と、第２の表示パネル３０の間に照明装置１０が配置される。また、光学シートが、照明装置１０と第１の表示パネル２０との間に配置され、反射偏光シート１５が、照明装置１０と第２の表示パネル３０との間に配置される。このとき、反射偏光シート１５の透過軸の光学シートの透過軸に対するずれ角を、第１の表示パネル側から見て時計回りにθとしたとき、ずれ角θは、−１０°≦θ≦８０°又は１７０°≦θ≦２６０°となる範囲内に設定される。このようにすることで、第１の表示パネル２０の輝度を、平均輝度以上にすることができる。【選択図】図１
2007047301.tif 000002
【特許請求の範囲】
【請求項１】
照明装置と、
前記照明装置の一方の面側に配置された第１の表示パネルと、
前記照明装置の他方の面側に配置された第２の表示パネルと、
前記照明装置と前記第１の表示パネルとの間に配置され、一定の方向に振動する光を透過する透過軸を有する光学シートと、
前記照明装置と前記第２の表示パネルとの間に配置された反射偏光シートと、を備え、
前記反射偏光シートの透過軸の前記光学シートの透過軸に対するずれ角を、前記第１の表示パネル側から見て時計回りにθとしたとき、前記ずれ角θは、−１０°≦θ≦８０°又は１７０°≦θ≦２６０°となる範囲内に設定されることを特徴とする電気光学装置。
【請求項２】
前記ずれ角θは、１５°≦θ≦５５°又は１９５°≦θ≦２３５°となる範囲内に設定されることを特徴とする請求項１に記載の電気光学装置。
【請求項３】
前記ずれ角θは、３２°≦θ≦３８°又は２１２°≦θ≦２１８°となる範囲内に設定されることを特徴とする請求項１又は２に記載の電気光学装置。
【請求項４】
前記ずれ角θは、３５°又は２１５°に設定されることを特徴とする請求項１乃至３のいずれか一項に記載の電気光学装置。
【請求項５】
前記光学シートは、反射偏光シートであることを特徴とする請求項１乃至４のいずれか一項に記載の電気光学装置。
【請求項６】
前記光学シートは、偏光板であることを特徴とする請求項１乃至４のいずれか一項に記載の電気光学装置。
【請求項７】
請求項１乃至６のいずれか一項に記載の電気表示装置を表示部に備えることを特徴とする電子機器。
【発明の詳細な説明】
【技術分野】
【０００１】
本発明は、携帯用機器として用いられる両面表示型の電気光学装置に関する。
【背景技術】
【０００２】
最近では、両面表示型の電気光学装置を利用した折り畳み式の携帯電話などが普及している。折り畳み式の携帯電話では、一般的に、操作ボタンなどが設けられた本体部に対して蝶番式に折り畳み可能に表示部（構造上、ふた側に相当する）が取り付けられており、表示部の内側（操作ボタンと対向する側）に大型の表示パネルが設けられ、表示部の外側（背面側）に小型の表示パネルが設けられている。即ち、大型の表示パネルと小型の表示パネルが背中合わせに設けられている。また、大型の表示パネルと小型の表示パネルの間には、導光板を備えた照明装置が設けられている。照明装置は、大型の表示パネルと小型の表示パネルを、夫々の背面より照明する。
【０００３】
このような両面表示型の電気光学装置では、照明装置の導光板より小型の表示パネル側に光が出射した場合、小型の表示パネルが存在する位置では、光は小型の表示パネルを透過する。一方、小型の表示パネルが存在しない位置では、光は小型の表示パネルの外縁を囲むプラスティックなどのケースで反射し、このケースで反射した光は、大型の表示パネルの表示面を透過することとなる。その結果、小型の表示パネルが存在する位置と存在しない位置で光のムラが生じる。そのため、大型の表示パネルの表示面には、小型の表示パネルの外縁が浮き上がって見えてしまい、大型の表示パネルに表示される画像の視認性に悪影響が出てしまう。そこで、一般的な電気光学装置では、一定の方向に振動する光を透過し、その一定方向と垂直に振動している光を反射する反射偏光シートを、照明装置と小型の表示パネルの間に設置することにより、上述したような光のムラを抑えることとしている。
【０００４】
なお、下記の特許文献１には、反射偏光シートが用いられた電気光学装置の具体的な構成例が示されている。
【０００５】
【特許文献１】特開２００４−２９６９３号公報
【発明の開示】
【発明が解決しようとする課題】
【０００６】
しかしながら、照明装置と大型の表示パネルとの間に設置されている偏光板又は反射偏光シートの透過軸と、照明装置と小型の表示パネルとの間に設置されている反射偏光シートの透過軸とのなす角度に依存して、大型の表示パネルを透過する光の光量が変化する。そのため、この角度を適切に設定しないと、高輝度な電気光学装置を実現することができない。
【０００７】
本発明は上記の点に鑑みてなされたものであり、複数の表示パネルを備える両面表示型の電気光学装置の高輝度化を図ることを課題とする。
【課題を解決するための手段】
【０００８】
本発明の１つの観点では、電気光学装置は、照明装置と、前記照明装置の一方の面側に配置された第１の表示パネルと、前記照明装置の他方の面側に配置された第２の表示パネルと、前記照明装置と前記第１の表示パネルとの間に配置され、一定の方向に振動する光を透過する透過軸を有する光学シートと、前記照明装置と前記第２の表示パネルとの間に配置された反射偏光シートと、を備え、前記反射偏光シートの透過軸の前記光学シートの透過軸に対するずれ角を、前記第１の表示パネル側から見て時計回りにθとしたとき、前記ずれ角θは、−１０°≦θ≦８０°又は１７０°≦θ≦２６０°となる範囲内に設定される。
【０００９】
上記の電気光学装置は、例えば液晶表示装置であり、主に、照明装置と、第１の表示パネルと、第２の表示パネルより構成される。ここで、前記第１の表示パネル及び前記第２の表示パネルは、例えば液晶表示パネルであり、前記第１の表示パネルは、前記照明装置の一方の面側に配置され、前記第２の表示パネルは、前記照明装置の他方の面側に配置される。また、上記の電気光学装置には、一定の方向に振動する光を透過する光学シートが、前記照明装置と前記第１の表示パネルとの間に配置され、反射偏光シートが、前記照明装置と前記第２の表示パネルとの間に配置される。反射偏光シートは、一定の方向に振動する光を透過する透過軸と、その一定方向と垂直に振動している光を反射する反射軸とを有するシートである。このとき、前記反射偏光シートの透過軸の前記光学シートの透過軸に対するずれ角を、前記第１の表示パネル側から見て時計回りにθとしたとき、前記ずれ角θは、−１０°≦θ≦８０°又は１７０°≦θ≦２６０°となる範囲内に設定される。このようにすることで、前記第１の表示パネルの輝度を、平均輝度以上にすることができる。
【００１０】
上記の電気光学装置の一態様では、前記ずれ角θは、１５°≦θ≦５５°又は１９５°≦θ≦２３５°となる範囲内に設定される。これにより、最小輝度を０％、最大輝度を１００％としたとき、前記第１の表示パネルの輝度を、最大輝度の９０％以上の大きさに設定することができる。
【００１１】
上記の電気光学装置の他の一態様では、前記ずれ角θは、３２°≦θ≦３８°又は２１２°≦θ≦２１８°となる範囲内に設定される。これは、電気光学装置における組みずれの発生を考慮したものである。前記ずれ角の組みずれによる誤差がこの範囲内であれば、前記第１の表示パネルの輝度を最大輝度付近に留めることができる。
【００１２】
上記の電気光学装置の他の一態様では、前記ずれ角θは、３５°又は２１５°に設定される。これにより、前記第１の表示パネルの輝度を最大輝度に設定することができる。
【００１３】
上記の電気光学装置の好適な一態様では、前記光学シートは、反射偏光シートである。
【００１４】
上記の電気光学装置のさらなる好適な一態様では、前記光学シートは、偏光板である。
【００１５】
本発明のさらなる他の観点では、上記の電気光学装置を表示部に備えることを特徴とする電子機器を構成することができる。
【発明を実施するための最良の形態】
【００１６】
以下、図面を参照して本発明の好適な実施形態について説明する。尚、以下の実施形態は、本発明を液晶表示装置に適用したものである。
【００１７】
[液晶表示装置]
図１は、本実施形態に係る液晶表示装置１００の概略構成を示す側面図である。なお、図１では説明の便宜上、各構成要素の間隔を開けて図示しているが、実際にはそれらは図中の上下方向に重ねられた状態で液晶表示装置１００を構成している。
【００１８】
液晶表示装置１００はいわゆる両面表示型の装置であり、主に、光源部１６と導光板１１により構成される１つの照明装置１０と、液晶表示パネル２０及び３０とを備える。液晶表示パネル２０及び３０は、導光板１１の上下面に配置される。光源部１６は、点光源である複数のＬＥＤ１７を備える。各ＬＥＤ１７から出射された光Ｌ１は、図示のように導光板１１内へ入り、導光板１１の上下面で反射を繰り返すことにより方向を変え、導光板１１の上下面と光Ｌ１のなす角が臨界角を超えると、導光板１１の上下面から照明光Ｌ２及びＬ３として外部へ夫々出射する。
【００１９】
液晶表示パネル２０は、両面表示型携帯電話のメイン表示パネルに対応し、導光板１１の発光面積とほぼ同一の表示面積を有する。液晶表示パネル２０は、ガラスなどの下側基板２１及び上側基板２２を、シール材２３を介して貼り合わせてセル構造を形成し、その内部に液晶２４を封入して構成される。さらに、液晶表示パネル２０には、他にも、例えばブラックマトリクス、カラーフィルタ、電極、その他の多くの構成要素が、マトリクス状（格子状）又はストライプ状（線状）に形成されている。これらの構成要素は、通常矩形の液晶表示パネル２０の４辺に略並行に形成されている。なお、本発明では、液晶表示パネル２０の構造には特に制限はない。
【００２０】
導光板１１と液晶表示パネル２０との間には、プリズムシート１２及び反射偏光シート１４が設けられる。プリズムシート１２は、断面が略三角形のプリズム形状を一辺の方向（当該断面と垂直な辺の方向）に延在させた形状を有し、導光板１１より出射された光Ｌ２を液晶表示パネル２０の背面（図中下側基板２１の下側面）に対し、略垂直に集光する役割を有する。液晶表示装置１００で用いられるプリズムシート１２は、「逆プリズム型」とも呼ばれ、プリズム形状が導光板１１と対向する位置に配置される。
【００２１】
反射偏光シート１４は、一定の方向に振動する光を透過し、その一定方向と垂直に振動している光を反射する。この透過される光の振動方向を透過軸と言い、反射される光の振動方向を反射軸という。ここで反射された光を、図１で光Ｌ２ｒｅｆとして示す。光Ｌ２ｒｅｆは、導光板１１に戻ることとなり、導光板１１の上下面で反射を繰り返し、再び光Ｌ２又は光Ｌ３として、導光板１１より出射される。
【００２２】
液晶表示パネル２０の反射偏光シート１４が設けられている側の面、即ち、下側基板２１の外面上には、偏光板１８ａが設けられ、液晶表示パネル２０の反射偏光シート１４が設けられている側の面と反対側の面、即ち、上側基板２２の外面上には、偏光板１８ｂが設けられる。偏光板１８ａ、１８ｂは、一定方向に振動している光を透過し、その一定方向と垂直に振動している光を吸収する。この透過される光の振動方向を透過軸と言い、吸収される光の振動方向を吸収軸という。
【００２３】
プリズムシート１２により、液晶表示パネル２０に対し、略垂直方向に向けられた光Ｌ２は、反射偏光シート１４、偏光板１８ａに入射し、透過軸の方向に振動している光のみを通過させることにより直線偏光される。ここで、反射偏光シート１４だけでなく、偏光板１８ａも併用するのは、反射偏光シート１４は、偏光光のみを透過する性質が弱いため、反射偏光シート１４だけだと、液晶表示パネル２０の表示コントラストが弱くなるからである。液晶表示装置１００では、偏光光のみを透過する性質が強い偏光板１８ａを、反射偏光シート１４に対し、互いの透過軸の方向を一致させて配置することにより、液晶表示パネル２０の表示コントラストを強めている。直線偏光された光Ｌ２は、液晶表示パネル２０に入射し、液晶２４の配向によって偏光面を回転させられ、偏光板１８ｂに入射する。光Ｌ２は、液晶２４によって偏光面を回転させられた後の偏光方向と偏光板１８ｂの透過軸が一致するときのみ、偏光板１８ｂを透過することができる。この偏光板１８ｂを透過した光Ｌ２が、観察者によって視認されることとなる。
【００２４】
一方、液晶表示パネル３０は液晶表示パネル２０よりも小型であり、液晶表示パネル２０よりも表示面積が小さいパネルである。液晶表示パネル３０は、上述の両面表示型携帯電話のサブ表示パネル（メイン表示パネルの背面に設けられた小型の表示パネル）に相当する。液晶表示パネル３０もガラスなどの下側基板３１及び上側基板３２を、シール材３３を介して貼り合わせ、その内部に液晶３４を封入して構成される。さらに、液晶表示パネル３０には、他にも、例えばブラックマトリクス、カラーフィルタ、電極、その他の多くの構成要素が、マトリクス状（格子状）又はストライプ状（線状）に形成されている。これらの構成要素は、通常矩形の液晶表示パネル３０の４辺に略並行に形成されている。なお、本発明では、液晶表示パネル３０の構造には特に制限はない。
【００２５】
導光板１１と液晶表示パネル３０の間にも、プリズムシート１３及び反射偏光シート１５が設けられる。プリズムシート１３は、逆プリズム型のプリズムシートであり、光Ｌ３を集光して液晶表示パネル３０の背面（図中下側基板３１の上側面）に導く。反射偏光シート１５は、光Ｌ３のうち、一定の方向に振動する光を透過し、その一定方向と垂直に振動している光を反射する。反射偏光シート１５によって反射された光を、図１では光Ｌ３ｒｅｆとして示す。光Ｌ３ｒｅｆも、先に述べた光Ｌ２Ｌｅｆと同様、導光板１１に戻ることとなり、導光板１１の上下面で反射を繰り返し、再び光Ｌ２又は光Ｌ３として、導光板１１より出射される。
【００２６】
液晶表示パネル３０の反射偏光シート１５が設けられている側の面、即ち、下側基板３１の外面上には、偏光板１９ａが設けられ、液晶表示パネル３０の反射偏光シート１５が設けられている側の面と反対側の面、即ち、上側基板３２の外面上には、偏光板１９ｂが設けられる。
【００２７】
プリズムシート１２により略垂直方向に向けられた光Ｌ３は、反射偏光シート１５、偏光板１９ａに入射し、透過軸の方向に振動している光のみを通過させることにより直線偏光される。ここで、先に述べた偏光板１８ａの配置の理由と同様の理由により、偏光板１９ａは配置され、その透過軸の方向は、反射偏光シート１５の透過軸の方向と一致して配置される。直線偏光された光Ｌ３は、液晶表示パネル３０に入射し、液晶３４の配向によって偏光面を回転させられ、偏光板１９ｂに入射する。光Ｌ３は、液晶３４によって偏光面を回転させられた後の偏光方向と偏光板１９ｂの透過軸が一致するときのみ、偏光板１９ｂを透過することができる。この偏光板１９ｂを透過した光Ｌ３が、観察者によって視認されることとなる。
【００２８】
以上のことから分かるように、反射偏光シート１４、１５は、透過軸方向に振動する光以外の光を、導光板１１に向けて反射し、導光板１１より再び出射すること、即ち、光のリサイクルをすることができる。従って、反射偏光シート１４、１５を用いることで、液晶表示装置１００における光の利用効率を高めることができる。
【００２９】
なお、上述した液晶表示装置１００では、液晶表示パネル２０の表示コントラストを強めるために、偏光板１８ａ、１９ａが配置される構成としているが、液晶表示装置１００の構成としては、代わりに偏光板１８ａ、１９ａを除いた構成も可能であるのはいうまでもない。また、照明装置１０では、上述した導光板１１と光源部１６の組み合わせの他に、自発光の有機ＥＬ（electroluminescence）バックライトを用いることも可能である。
【００３０】
（輝度測定装置による測定方法）
次に、反射偏光シート１４、１５における透過軸の互いになす角と、メイン表示パネル、即ち、液晶表示パネル２０の輝度との関係について述べる。図２に、本実施形態に係る液晶表示装置１００の反射偏光シート１４、１５の平面図を示す。図２では、説明の便宜のために、反射偏光シート１４、１５を互いにずらして図示されているが、実際には、反射偏光シート１４、１５のそれぞれの辺と辺を一致させて重ね合わされる。
【００３１】
図２に示すように、反射偏光シート１４は、透過軸Ｐ１４を有し、反射偏光シート１５は、透過軸Ｐ１５を有する。透過軸Ｐ１４と透過軸Ｐ１５の矢印の方向は、それぞれ光の振動方向を示す。透過軸Ｐ１５は、透過軸Ｐ１４に対し、液晶表示パネル２０側から見て時計回りにずれ角「θ」を有する。
【００３２】
透過軸Ｐ１５の透過軸Ｐ１４に対するずれ角θと、液晶表示パネル２０の輝度との関係を求める方法について述べる。図３は、液晶表示パネル２０の輝度の変化を測定するための輝度測定装置２００の模式的な側面図である。
【００３３】
図３に示すように、輝度測定装置２００は、黒色のステージ４２と、ステージ４２上に配置されたガラス板４１と、測定機器５０とを備える。図示のように、ガラス板４１と測定機器５０の間に、測定対象物が配置される。本例では、図１に示した液晶表示１００のうち、液晶表示パネル２０及び偏光板１９ａ、１９ｂを除いた構造体が測定対象物として配置されている。即ち、測定対象物は、照明装置１０を備え、照明装置１０の導光板１１の上面に、プリズムシート１２、反射偏光シート１４、偏光板１８ａ、液晶表示パネル２０、偏光板１８ｂが順次設置され、導光板１１の下面に、プリズムシート１３が設置される。偏光板１８ｂの上方に配置された測定機器５０は、液晶表示パネル２０の輝度、即ち、光Ｌ２の輝度を測定する。以上で述べた、照明装置１０、プリズムシート１２及び１３、反射偏光シート１４、偏光板１８ａ、液晶表示パネル２０、偏光板１８ｂは、輝度の測定中を通して固定される。
【００３４】
一方、黒色のステージ４２は図中上側から見て時計回りに回転することができる。ステージ４２上には、ガラス板４１が設置され、ガラス板４１上には、反射偏光シート１５が設置される。輝度の測定中、ステージ４２は、その中心となる軸Ｍを中心として回転し、それと共に反射偏光シート１５、ガラス板４１も回転する。
【００３５】
図１でも述べたが、光源部１６から出射された光Ｌ１は、図３に示すように導光板１１内へ入り、導光板１１の上下面で反射を繰り返すことにより方向を変え、導光板１１の上下面と光Ｌ１のなす角が臨界角を超えると、導光板１１の上下面から照明光Ｌ２及びＬ３として外部へ夫々出射する。反射偏光シート１５は、光Ｌ３のうち、一定の方向に振動する光を透過し、その一定方向と垂直に振動している光を反射する。反射偏光シート１５で反射された光Ｌ３ｒｅｆは、導光板１１に戻る。一方、反射偏光シート１５を透過した光Ｌ３は、ガラス板４１を経由して、ステージ４２に到達する。ステージ４２は、黒色のステージとなっているので、反射偏光シート１５を透過した光Ｌ３は、ステージ４２によって吸収されることとなり、反射されることはない。従って、この輝度測定装置２００では、測定機器５０は、反射偏光シート１５を透過した光Ｌ３の影響を受けることなく、液晶表示パネル２０の輝度たる光Ｌ２のみを正確に測定することができる。
【００３６】
光Ｌ２の輝度を測定するに当たって、まず、反射偏光シート１５は、その透過軸Ｐ１５が、反射偏光シート１４の透過軸Ｐ１４と平行、即ち、透過軸Ｐ１５の透過軸Ｐ１４に対するずれ角θがθ＝０°となる位置に合わされる。その後、ステージ４２は、軸Ｍを中心として液晶パネル２０側から見て時計回りに所定角度ずつ回転される。ステージ４２が回転すると、それに伴い、反射偏光シート１５も回転するので、透過軸Ｐ１５も回転する。言い換えれば、ステージ４２が回転することで、透過軸Ｐ１５の透過軸Ｐ１４に対するずれ角θが変化する。測定機器５０は、ずれ角θが変化する度に、光Ｌ２の輝度を測定する。
【００３７】
このようにして測定された光Ｌ２の輝度について、図４を参照して説明する。図４は、透過軸Ｐ１５の透過軸Ｐ１４に対するずれ角θと、光Ｌ２の輝度との関係を示すグラフである。図４において、横軸は、透過軸Ｐ１５の透過軸Ｐ１４に対するずれ角θを示し、縦軸は、ずれ角θにおける光Ｌ２の輝度を輝度向上率として示している。ここで、輝度向上率とは、夫々のずれ角で測定された輝度を、測定された全ずれ角θにおける輝度の平均、即ち、平均輝度で規格化したものである。従って、例えば、測定された輝度が平均輝度となる場合には、輝度向上率は１と表される。輝度の測定は、ずれ角θを４５°ずつ変化させて行われ、夫々のずれ角θで測定された光Ｌ２の輝度向上率が、図４にプロットされている。また、輝度の測定は、２回行われ、夫々の測定回で測定された光Ｌ２の輝度向上率も、図４にプロットされている。図４に示す曲線５１は、このようにしてプロットされた全ての点についての近似曲線である。
【００３８】
図４のグラフにおける曲線５１が示すように、光Ｌ２の輝度は、透過軸Ｐ１５の透過軸Ｐ１４に対するずれ角θの増加に伴い、周期的に上下に変化する。具体的には、透過軸Ｐ１５が透過軸Ｐ１４に対して一回転（ずれ角θ＝３６０°）する間に、光Ｌ２の輝度の大きさについて、山（最大）となるところと谷（最小）となるところが２回ずつ周期的に存在する。図４に示すように、光Ｌ２の輝度の大きさが最大となる、即ち、最大輝度となるのは、ずれ角θ＝３５°、２１５°となるときである。
【００３９】
直感的には、反射偏光シート１４の透過軸Ｐ１４と、反射偏光シート１５の反射される光の光量が最大となる反射軸が一致するところ、即ち、透過軸Ｐ１５の透過軸Ｐ１４に対するずれ角θが、９０°又は１３５°となるところが、光Ｌ２の輝度の大きさが最大輝度になるのではないかと考えられる。しかしながら、実際には、図４に示す測定結果のグラフから分かるように、光Ｌ２の輝度が最大輝度となるのは、ずれ角θ＝３５°、２１５°となるときである。従って、メイン表示パネルたる液晶表示パネル２０の光Ｌ２の輝度を最大輝度にするためには、透過軸Ｐ１５の透過軸Ｐ１４に対するずれ角θを、９０°又は１３５°ではなく、３５°又は２１５°に設定する必要がある。
【００４０】
ここで、反射偏光シート１４、１５を液晶表示装置１００へ設置する際には、組みずれにより、透過軸Ｐ１５の透過軸Ｐ１４に対するずれ角θの誤差が発生する可能性がある。この組みずれにより発生するずれ角θの誤差を考慮した場合には、組みずれによるずれ角θの誤差を３５°又は２１５°から±３°の範囲内で抑えることにより、液晶表示パネル２０の光Ｌ２の輝度を最大輝度付近に留めることができる。つまり、透過軸Ｐ１５の透過軸Ｐ１４に対するずれ角θを、３２°≦θ≦３８°又は２１２°≦θ≦２１８°となる範囲内に設定すれば、液晶表示パネル２０の光Ｌ２の輝度を最大輝度付近に留めることができる。
【００４１】
また、図４に示す測定結果のグラフより、液晶表示パネル２０の光Ｌ２の最小輝度（谷となるところ）を０％とし、最大輝度を１００％とすると、光Ｌ２の輝度の大きさが最大輝度の９０％以上の大きさとなるのは、ずれ角θが、３５±２０°又は２１５±２０°の範囲内、つまり、１５°≦θ≦５５°又は１９５°≦θ≦２３５°となる範囲にあるときである。さらに、光Ｌ２の輝度の大きさが最大輝度の５０％以上の大きさ、即ち平均輝度以上の大きさとなるのは、ずれ角θが、３５±４５°又は２１５±４５°の範囲内、つまり、−１０°≦θ≦８０°又は１７０°≦θ≦２６０°となる範囲にあるときである。
【００４２】
以上より、図１に示す液晶表示装置１００における反射偏光シート１４及び１５について透過軸Ｐ１５の透過軸Ｐ１４に対するずれ角θを、１５°≦θ≦５５°又は１９５°≦θ≦２３５°となる範囲内に設定することで、メイン表示パネルたる液晶表示パネル２０の光Ｌ２の輝度を最大輝度の９０％以上の大きさに設定することができる。また、透過軸Ｐ１５の透過軸Ｐ１４に対するずれ角θを、−１０°≦θ≦８０°又は１７０°≦θ≦２６０°となる範囲内に設定することで、液晶表示パネル２０の光Ｌ２の輝度を最大輝度の５０％以上の大きさ、即ち、平均輝度以上の大きさに設定することができる。
【００４３】
（変形例）
なお、図１に示す液晶表示装置１００、図３に示す輝度測定装置２００では、導光板１１と液晶表示パネル２０との間には、反射偏光シート１４を用いるとしているが、その代わりに偏光板を用いるとすることもできる。即ち、液晶表示装置１００及び輝度測定装置２００において、反射偏光シート１４を取り除いて偏光板１８ａのみにすることもできる。この場合においても、反射偏光シート１４を用いたときと同様、反射偏光シート１５の透過軸Ｐ１５が、偏光板の透過軸に対し、液晶表示パネル２０から見て時計回りにずれ角「θ」を規定することができ、図４に示すグラフと定性的に同じグラフが得ることができると考えられる。なぜならば、偏光板と反射偏光シートの違いは、吸収軸を有するか、反射軸を有するかの違いだけであり、一定方向に透過軸を有することには変わりがなく、また、輝度測定装置２００において、反射偏光シート１４も、反射偏光シート１４の代わりに用いられる偏光板も、測定中においては固定され、それに伴い、透過軸の方向も一定の方向に固定されるからである。従って、反射偏光シート１４の代わりに、偏光板を用いた場合、例えば、上記のように規定されたずれ角θを、−１０°≦θ≦８０°又は１７０°≦θ≦２６０°となる範囲内に設定することで、液晶表示パネル２０の光Ｌ２の輝度を最大輝度の５０％以上の大きさ、即ち、平均輝度以上の大きさに設定することができる。
【００４４】
[電子機器]
次に、図５を参照して、上記の液晶表示装置１００を備えた電子機器について説明する。
【００４５】
図５は、本発明に係る電子機器の一実施形態である携帯電話機２０００を示す。この携帯電話機２０００は、各種操作ボタンが設けられマイクを内蔵した本体部２００１と、表示画面やアンテナを備えスピーカを内蔵した表示部２００２とを有し、本体部２００１と表示部２００２とが相互に折りたたみ自在に構成されている。表示部２００２内には上記の液晶表示装置１００が内蔵され、その内面上にはメイン側の液晶表示パネル２０の表示画面１１０が視認可能に構成され、また、外面上にはサブ側の液晶表示パネル３０の表示画面１３０が視認可能に構成されている。
【００４６】
本実施形態では、例えば、図５（ａ）に示すように本体部２００１から表示部２００２を開くことによって、メイン側の液晶表示パネル２０が点灯し、所定の画像が表示される。また、図５（ｂ）に示すように表示部２００２を本体部２００１上に折りたたむことにより、メイン側の液晶表示パネル２０が消灯し、代わりにサブ側の液晶表示パネル３０が点灯して所定の画像が表示される。
【００４７】
なお、本発明の電気光学装置及び電子機器は、上述の図示例にのみ限定されるものではなく、本発明の要旨を逸脱しない範囲内において種々変更を加え得ることは勿論である。例えば、上記各実施形態では電気光学パネルとして液晶表示パネルを用いているが、本発明の電気光学パネルとしては、有機エレクトロルミネッセンスパネル、プラズマディスプレイパネル、フィールドエミッションディスプレイなどの各種電気光学パネルを用いることもできる。
【図面の簡単な説明】
【００４８】
【図１】本実施形態に係る液晶表示装置の構成を示す側面図である。
【図２】本実施形態に係る液晶表示装置の反射偏光シートの平面図を示している。
【図３】輝度測定装置の構成を示す側面図である。
【図４】輝度測定装置によって測定された光の輝度とずれ角の関係を示す図である。
【図５】本実施形態の液晶表示装置を適用した電子機器の例を示す図である。
【符号の説明】
【００４９】
１０  照明装置、  １１  導光板、  １２、１３  プリズムシート、  １６  光源部、  １７  ＬＥＤ、  １４、１５  反射偏光シート、  ２０、３０  液晶表示パネル、  １００  液晶表示装置
【図１】
2007047301.tif 000003
【図２】
2007047301.tif 000004
【図３】
2007047301.tif 000005
【図４】
2007047301.tif 000006
【図５】
2007047301.tif 000007